(57)【要約】【課題】所望の送信者から送信された画像情報のみを容易に抽出することのできる画像記録装置、撮影装置及び画像記録方法を得る。【解決手段】ＣＰＵ４０により、他のデジタルカメラ１０から受信した画像情報に当該画像情報の送信者を識別するための識別情報が付加されているか否かを判定し、前記識別情報が付加されていると判定した場合に当該識別情報に応じたフォルダをメモリカード５２に作成し、作成したフォルダに前記画像情報を記憶する。【選択図】図３
2008236057.tif 000002
【特許請求の範囲】
【請求項１】
画像情報を受信する受信手段と、
前記画像情報を記憶するための記憶手段と、
前記受信手段によって受信された前記画像情報に当該画像情報の送信者を識別するための識別情報が付加されているか否かを判定する判定手段と、
前記判定手段によって前記識別情報が付加されていると判定された場合に当該識別情報に応じたフォルダを前記記憶手段に作成する作成手段と、
前記作成手段によって作成されたフォルダに前記画像情報を記憶する画像記憶手段と、
を備えた画像記録装置。
【請求項２】
画像情報を、前記識別情報を付加した状態で送信する送信手段
を更に備えた請求項１記載の画像記録装置。
【請求項３】
前記画像情報に付加する識別情報を入力する入力手段
を更に備えた請求項２記載の画像記録装置。
【請求項４】
請求項１〜請求項３の何れか１項記載の画像記録装置と、
被写体を撮影する撮影手段と、
を備え、
前記画像情報は、前記撮影手段による撮影によって得られた被写体像を示す画像情報である
撮影装置。
【請求項５】
受信した画像情報に当該画像情報の送信者を識別するための識別情報が付加されているか否かを判定し、
前記識別情報が付加されていると判定した場合に当該識別情報に応じたフォルダを記憶手段に作成し、
作成したフォルダに前記画像情報を記憶する
画像記録方法。
【発明の詳細な説明】
【技術分野】
【０００１】
本発明は、画像記録装置、撮影装置及び画像記録方法に係り、特に、受信された画像情報を記憶する画像記録装置、撮影装置及び画像記録方法に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、以上のような撮影機能を有する情報機器を撮影装置と総称する。
【０００３】
ところで、この種の撮影装置では、撮影によって得られた画像データを他の情報処理装置に送信して記憶することが頻繁に行われている。しかしながら、この場合、記憶した画像データからは送信元を特定することが困難である、という問題があった。
【０００４】
この問題を解消するために適用できる技術として、特許文献１には、画像データを情報端末装置から外部装置に送信する際に、当該画像データに対して上記情報端末装置固有の個体識別データを付加して送信する技術が開示されている。また、特許文献２には、デジタルカメラにおいて、装着されたＩＤカードのＩＤ番号を読み出し、当該ＩＤ番号と、撮像部により撮像された写真画像とを送信する技術が開示されている。
【０００５】
これらの技術を利用することにより、上記個体識別データや上記ＩＤ番号から送信元を容易に特定することができる。
【特許文献１】特開２００４−３１２１６３号公報
【特許文献２】特開２００４−３５６９７２号公報
【発明の開示】
【発明が解決しようとする課題】
【０００６】
しかしながら、上記特許文献１及び特許文献２に開示されている技術を利用する技術では、送信元の装置や当該装置に装着されたＩＤカードを特定することはできるものの、所望の送信者から送信された画像データのみを抽出することは容易ではない、という問題点があった。
【０００７】
これを実現するためには、例えば、上記個体識別データや上記ＩＤ番号と、送信者を特定することができる情報とを対応付けたテーブル情報等を受信側の装置に予め登録しておき、これを参照することにより、全ての記憶されている画像データ毎に送信者を特定した後、所望の送信者から送信された画像データのみを抽出する必要がある。
【０００８】
本発明は上記問題点を解消するためになされたものであり、所望の送信者から送信された画像情報のみを容易に抽出することのできる画像記録装置、撮影装置及び画像記録方法を提供することを目的とする。
【課題を解決するための手段】
【０００９】
上記目的を達成するために、請求項１に記載の画像記録装置は、画像情報を受信する受信手段と、前記画像情報を記憶するための記憶手段と、前記受信手段によって受信された前記画像情報に当該画像情報の送信者を識別するための識別情報が付加されているか否かを判定する判定手段と、前記判定手段によって前記識別情報が付加されていると判定された場合に当該識別情報に応じたフォルダを前記記憶手段に作成する作成手段と、前記作成手段によって作成されたフォルダに前記画像情報を記憶する画像記憶手段と、を備えている。
【００１０】
請求項１に記載の画像記録装置によれば、受信手段によって画像情報が受信され、受信された画像情報が記憶手段によって記憶される。なお、上記受信手段には、ブルートゥース（Bluetooth）、ＩｒＤＡ（Infrared Data Association）、ＩＥＥＥ８０２．１１等による無線通信により受信するものの他、ＵＳＢ（Universal Serial Bus）、ＩＥＥＥ１３９４、インターネット等の有線通信により受信するもの、光通信により受信するもの等が含まれる。また、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブルディスク等の可搬記録媒体やハードディスク等の固定記録媒体、或いはネットワークに接続されたサーバ・コンピュータ等に設けられた外部記憶装置等が含まれる。
【００１１】
ここで、本発明では、判定手段により、前記受信手段によって受信された前記画像情報に当該画像情報の送信者を識別するための識別情報が付加されているか否かが判定され、前記識別情報が付加されていると判定された場合に、作成手段によって当該識別情報に応じたフォルダが前記記憶手段に作成され、作成されたフォルダに前記画像情報が画像記憶手段によって記憶される。
【００１２】
このように、請求項１に記載の画像記録装置によれば、受信した画像情報に当該画像情報の送信者を識別するための識別情報が付加されているか否かを判定し、前記識別情報が付加されていると判定した場合に当該識別情報に応じたフォルダを記憶手段に作成し、作成したフォルダに前記画像情報を記憶しているので、所望の送信者から送信された画像情報のみを容易に抽出することができる。
【００１３】
なお、本発明は、請求項２に記載の発明のように、画像情報を、前記識別情報を付加した状態で送信する送信手段を更に備えてもよい。これにより、識別情報を付加した状態で画像情報を送信することができる。なお、上記送信手段には、ブルートゥース、ＩｒＤＡ、ＩＥＥＥ８０２．１１等による無線通信により送信するものの他、ＵＳＢ、ＩＥＥＥ１３９４、インターネット等の有線通信により送信するもの、光通信により送信するもの等が含まれる。
【００１４】
特に、請求項２に記載の発明は、請求項３に記載の発明のように、前記画像情報に付加する識別情報を入力する入力手段を更に備えてもよい。これにより、識別情報を任意に設定することができ、ユーザにとっての利便性を向上させることができる。
【００１５】
一方、上記目的を達成するために、請求項４に記載の撮影装置は、請求項１〜請求項３の何れか１項記載の画像記録装置と、被写体を撮影する撮影手段と、を備え、前記画像情報は、前記撮影手段による撮影によって得られた被写体像を示す画像情報であるものである。
【００１６】
請求項４に記載の撮影装置によれば、本発明の画像記録装置により、受信した画像情報に当該画像情報の送信者を識別するための識別情報が付加されているか否かが判定され、前記識別情報が付加されていると判定された場合に当該識別情報に応じたフォルダが記憶手段に作成され、当該フォルダに前記画像情報が記憶される。
【００１７】
ここで、本発明では、前記画像情報が、被写体を撮影する撮影手段による撮影によって得られた被写体像を示す画像情報とされる。
【００１８】
このように、請求項４に記載の撮影装置によれば、本発明の画像記録装置を備えているので、当該画像記録装置と同様に、所望の送信者から送信された画像情報のみを容易に抽出することができる。
【００１９】
一方、上記目的を達成するために、請求項５に記載の画像記録方法は、受信した画像情報に当該画像情報の送信者を識別するための識別情報が付加されているか否かを判定し、前記識別情報が付加されていると判定した場合に当該識別情報に応じたフォルダを記憶手段に作成し、作成したフォルダに前記画像情報を記憶するものである。
【００２０】
従って、請求項５に記載の画像記録方法によれば、請求項１に記載の発明と同様に作用するので、請求項１に記載の発明と同様に、所望の送信者から送信された画像情報のみを容易に抽出することができる。
【発明の効果】
【００２１】
本発明によれば、受信した画像情報に当該画像情報の送信者を識別するための識別情報が付加されているか否かを判定し、前記識別情報が付加されていると判定した場合に当該識別情報に応じたフォルダを記憶手段に作成し、作成したフォルダに前記画像情報を記憶しているので、所望の送信者から送信された画像情報のみを容易に抽出することができる、という効果が得られる。
【発明を実施するための最良の形態】
【００２２】
以下、図面を参照して、本発明の実施の形態について詳細に説明する。なお、ここでは、本発明を、静止画像の撮影を行うデジタル電子スチルカメラ（以下、「デジタルカメラ」という。）を複数台用いるシステム（以下、「画像記録システム」という。）に適用した場合について説明する。
【００２３】
まず、図１を参照して、本実施の形態に係る画像記録システム９０の全体的な構成を説明する。
【００２４】
同図に示すように、画像記録システム９０は、複数台（図１に示す例では、２台）のデジタルカメラ１０を含んで構成されている。
【００２５】
ここで、本実施の形態に係るデジタルカメラ１０は、各々互いに無線信号を送受信することのできる無線通信機能が備えられており、撮影によって得られた画像データを他のデジタルカメラ１０に送信することができると共に、他のデジタルカメラ１０から送信された画像データを受信することができる。
【００２６】
次に、図２を参照して、本実施の形態に係るデジタルカメラ１０の外観上の構成を説明する。
【００２７】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２８】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３０】
また、モード切替スイッチ５６Ｃは、撮影を行うモードである撮影モード及び被写体像を後述するＬＣＤ３８に再生するモードである再生モードの何れかのモードに設定する際に回転操作される。
【００３１】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００３２】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチとが備えられている。
【００３３】
次に、図３を参照して、本実施の形態に係るデジタルカメラ１０の電気系の要部構成を説明する。
【００３４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３６】
なお、デジタル信号処理部３０は、所定容量のラインバッファを内蔵し、入力されたデジタルデータを後述するメモリ４８の所定領域に直接記憶させる制御も行う。
【００３７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３９】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４０】
なお、本実施の形態のデジタルカメラ１０では、メモリ４８としてフラッシュ・メモリ（Flash Memory）が用いられ、メモリカード５２としてスマート・メディア（Smart Media（登録商標））が用いられている。
【００４１】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００４２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４５】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４７】
ここで、本実施の形態に係るデジタルカメラ１０には、他のデジタルカメラ１０との間で予め定められた通信規格にて無線で通信することのできる通信部６０が備えられている。なお、本実施の形態に係るデジタルカメラ１０では、上記通信規格として、ブルートゥースを適用しているが、これに限らず、例えば、ＩｒＤＡ等の従来既知の他の通信規格を適用することもできることは言うまでもない。
【００４８】
この通信部６０もまたＣＰＵ４０に接続されており、ＣＰＵ４０は、他のデジタルカメラ１０との間で通信部６０を介した通信を行うことができる。
【００４９】
なお、本実施の形態に係るデジタルカメラ１０はＥｘｉｆ（Exchangeable Image File Format）規格に対応しており、撮影によって得られたデジタル画像データはＥｘｉｆ規格の電子化ファイル（画像ファイル）としてメモリカード５２に記憶される。そして、メニュースイッチの押圧操作に応じてＬＣＤ３８に表示されるメニュー画面上でＥｘｉｆ規格の画像ファイルに含まれるタグ領域に記憶したい情報を予め設定しておくことにより、それ以降の撮影によって得られた画像ファイルのタグ領域に当該情報を記憶することができる。
【００５０】
すなわち、図４に示すように、本実施の形態に係るデジタルカメラ１０において、撮影により得られてメモリカード５２に記憶される画像ファイル７０はＥｘｉｆ規格に対応しているため、スタートコード領域７０Ａ、タグ領域７０Ｂ、サムネイル画像領域７０Ｃ、及び主画像領域７０Ｄが含まれている。ここで、タグ領域７０Ｂには、上記メニュー画面上で予め設定された各種情報が記憶されることになる。
【００５１】
なお、タグ領域７０Ｂに記憶可能な情報として、本実施の形態では、当該画像ファイルを得るための撮影に関する撮影情報（ストロボの発光／未発光を示す情報、絞りの状態を示す情報、撮影日時を示す情報等）や、デジタルカメラ１０で設定されていた撮影条件（マニュアル撮影、オート撮影、プログラム撮影、マクロ撮影、移動体撮影、夜景撮影、人物撮影等）を示す情報等が予め設定できるものとして構成されている。
【００５２】
一方、本実施の形態に係るデジタルカメラ１０は、前述したように、撮影によって得られた画像データ（ここでは、画像ファイル７０）を他のデジタルカメラ１０に送信することができると共に、他のデジタルカメラ１０から送信された画像ファイル７０を受信することができる。
【００５３】
そして、本実施の形態に係るデジタルカメラ１０では、上記タグ領域７０Ｂに記憶可能な情報として、画像ファイル７０の送信者を識別することのできる識別情報を予め設定することができるものとして構成されている。
【００５４】
次に、本実施の形態に係るデジタルカメラ１０の撮影時における全体的な動作について簡単に説明する。
【００５５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５７】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６０】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００６１】
次に、図５を参照して、上記タグ領域７０Ｂに記憶する上記識別情報を登録（設定）する際のデジタルカメラ１０の作用を説明する。なお、図５は、メニュースイッチの押圧操作に応じてＬＣＤ３８に表示されるメニュー画面上で上記識別情報の登録を実行するメニューが指定された際にデジタルカメラ１０のＣＰＵ４０によって実行される識別情報登録処理プログラムの処理の流れを示すフローチャートであり、当該プログラムはメモリ４８の所定領域に予め記憶されている。
【００６２】
まず、ステップ１００では、予め定められた識別情報登録画面がＬＣＤ３８により表示されるように制御し、次のステップ１０２にて、所定情報の入力待ちを行う。
【００６３】
図６には、上記識別情報登録画面のＬＣＤ３８による表示状態例が示されている。同図に示されるように、本実施の形態に係る識別情報登録画面では、識別情報の入力を促すメッセージが識別情報を入力するための矩形枠と共に表示される。同図に示されるような識別情報登録画面が表示されると、ユーザは、十字カーソルスイッチ５６Ｄ等の操作によって所望の識別情報を上記矩形枠内に入力した後に決定スイッチを押圧操作する。これに応じて、上記ステップ１０２が肯定判定となってステップ１０４に移行する。
【００６４】
ステップ１０４では、上記識別情報登録画面上で入力された識別情報を、それ以降の撮影によって得られた画像ファイルのタグ領域に記憶されるように登録し、その後に本識別情報登録処理プログラムを終了する。
【００６５】
以上の識別情報登録処理プログラムの実行により、これ以降の撮影によって得られた画像ファイルのタグ領域には、ユーザによって入力された識別情報が記憶されることになる。
【００６６】
そして、本実施の形態に係るデジタルカメラ１０では、前述したように、当該画像ファイルを他のデジタルカメラ１０に送信することができると共に、他のデジタルカメラ１０から送信された画像ファイルを受信することができる。なお、本実施の形態に係るデジタルカメラ１０では、画像ファイルの送信を、メニュースイッチの押圧操作に応じてＬＣＤ３８に表示されるメニュー画面上で指示することにより実行することができるものとされているが、これに限らず、デジタルカメラ１０に、画像ファイルを送信する際に押圧操作される専用のスイッチを予め設けておき、当該スイッチを操作することにより画像ファイルの送信を実行する形態等の他の形態とすることもできることは言うまでもない。
【００６７】
次に、図７を参照して、画像ファイルを他のデジタルカメラ１０から受信した際のデジタルカメラ１０の作用を説明する。なお、図７は、他のデジタルカメラ１０から無線通信確立要求が受信された際にデジタルカメラ１０のＣＰＵ４０によって実行される画像記録処理プログラムの処理の流れを示すフローチャートであり、当該プログラムもメモリ４８の所定領域に予め記憶されている。
【００６８】
まず、ステップ２００では、画像ファイルの送信元であるデジタルカメラ１０との間で通信接続確立がなされる。具体的には、受信した無線通信確立要求に対して無線通信確立許可を送信する。これにより、画像ファイルの送信元となるデジタルカメラ１０との間の無線通信のコネクションが確立される。
【００６９】
次のステップ２０２では、上記画像ファイル（以下、「処理対象画像ファイル」という。）を受信し、その後に次のステップ２０４にて、メモリカード５２の予め定められた画像ファイル記憶用のフォルダ（以下、「画像ファイル記憶用フォルダ」という。）内のフォルダ名を取得する。なお、フォルダ名の取得は、メモリカード５２のディレクトリを参照することにより行うことができる。
【００７０】
次のステップ２０６では、処理対象画像ファイルのタグ領域に上記識別情報が記憶されているか否かを判定し、肯定判定となった場合はステップ２０８に移行して、上記ステップ２０４の処理によって取得されたフォルダ名に、処理対象画像ファイルのタグ領域に記憶されていた識別情報と同一のものが存在するか否かを判定し、否定判定となった場合はステップ２１０に移行する。
【００７１】
ステップ２１０では、画像ファイル記憶用フォルダの中に処理対象画像ファイルのタグ領域に記憶されていた識別情報と同一の名称のフォルダを作成し、その後にステップ２１２に移行する。なお、上記ステップ２０８において肯定判定となった場合は、上記ステップ２１０の処理を実行することなくステップ２１２に移行する。
【００７２】
ステップ２１２では、処理対象画像ファイルを、処理対象画像ファイルのタグ領域に記憶されていた識別情報と同一の名称とされたフォルダ（上記ステップ２１０の処理によって新規に作成したフォルダ、又は既に作成されていたフォルダ）内に記憶し、その後に本画像記録処理プログラムを終了する。
【００７３】
一方、上記ステップ２０６の処理において否定判定となった場合はステップ２１４に移行し、上記識別情報を有しない画像ファイルを記憶するためのフォルダとして予め定められたフォルダ（以下、「識別情報なしフォルダ」という。）の名称が上記ステップ２０４の処理によって取得されたフォルダ名に存在するか否かを判定し、否定判定となった場合はステップ２１６に移行する。
【００７４】
ステップ２１６では、画像ファイル記憶用フォルダの中に識別情報なしフォルダを作成し、その後にステップ２１８に移行する。なお、上記ステップ２１４において肯定判定となった場合は、上記ステップ２１６の処理を実行することなくステップ２１８に移行する。
【００７５】
ステップ２１８では、処理対象画像ファイルを識別情報なしフォルダ内に記憶し、その後に本画像記録処理プログラムを終了する。
【００７６】
以上の画像記録処理プログラムの実行により、一例として図８に模式的に示すように、識別情報が付加されている画像ファイルについては、当該識別情報と同一名称のフォルダに記憶される一方、識別情報が付加されていない画像ファイルについては、識別情報なしフォルダに記憶される。
【００７７】
従って、ユーザは、画像ファイル記憶用フォルダ内の識別情報を示すフォルダ名から所望の送信者が設定したフォルダ名を選択的に指定することのみにより、当該送信者から送信された画像ファイルのみを容易に抽出することができる。
【００７８】
以上詳細に説明したように、本実施の形態では、受信した画像情報（ここでは、画像ファイル７０）に当該画像情報の送信者を識別するための識別情報が付加されているか否かを判定し、前記識別情報が付加されていると判定した場合に当該識別情報に応じたフォルダを記憶手段（ここでは、メモリカード５２）に作成し、作成したフォルダに前記画像情報を記憶しているので、所望の送信者から送信された画像情報のみを容易に抽出することができる。
【００７９】
また、本実施の形態では、画像情報を、前記識別情報を付加した状態で送信する送信手段（ここでは、通信部６０）を備えているので、識別情報を付加した状態で画像情報を送信することができる。
【００８０】
特に、本実施の形態では、前記識別情報を入力する入力手段（ここでは、十字カーソルスイッチ５６Ｄ）を備えているので、識別情報を任意に設定することができ、ユーザにとっての利便性を向上させることができる。
【００８１】
なお、上記実施の形態では、本発明の受信手段及び送信手段として無線通信によるものを適用した場合について説明したが、本発明はこれに限定されるものではなく、例えば、ＩＥＥＥ１３９４、インターネット等の有線通信によるもの、光通信によるもの等、他の通信手段を適用する形態とすることもできる。この場合も、上記実施の形態と同様の効果を奏することができる。
【００８２】
また、上記実施の形態では、受信した画像ファイルを記憶するフォルダ名を、当該画像ファイルのタグ領域に記憶されている識別情報と同一とする場合について説明したが、本発明はこれに限定されるものではなく、例えば、当該識別情報に基づく情報（例えば、当該識別情報に予め定められた文字列情報を付加した情報等）を上記フォルダ名とする形態とすることもできる。この場合も、上記実施の形態と同様の効果を奏することができる。
【００８３】
また、上記実施の形態では、画像ファイル記憶用フォルダの中に識別情報に対応するフォルダを作成する場合について説明したが、本発明はこれに限定されるものではなく、例えば、画像ファイル記憶用フォルダを設けることなく、識別情報に対応するフォルダを作成する形態とすることもできる。この場合も、上記実施の形態と同様の効果を奏することができる。
【００８４】
また、上記実施の形態では、本発明の識別情報を画像ファイルのタグ領域に記憶することにより付加する場合について説明したが、本発明はこれに限定されるものではなく、例えば、画像情報を送信する際に送信する全ての情報の一部（一例として、画像情報の一部）に埋め込んで送信することにより付加する形態等とすることもできる。この場合も、上記実施の形態と同様の効果を奏することができる。
【００８５】
また、上記実施の形態では、本発明をデジタルカメラに適用した場合について説明したが、本発明はこれに限定されるものではなく、例えば、パーソナル・コンピュータ、ＰＤＡ、携帯電話機等の画像情報を取り扱う他の装置に適用する形態とすることもできる。この場合も、上記実施の形態と同様の効果を奏することができる。
【００８６】
その他、上記実施の形態に係る画像記録システム９０及びデジタルカメラ１０の構成（図１〜図３参照。）は一例であり、本発明の主旨を逸脱しない範囲内において適宜変更可能であることは言うまでもない。
【００８７】
更に、上記実施の形態において説明した識別情報登録処理プログラム及び画像記録処理プログラムの処理の流れ（図５及び図７参照。）も一例であり、本発明の主旨を逸脱しない範囲内において、各ステップの処理順序の変更、処理内容の変更、不要なステップの削除、新たなステップの追加等を行うことができることは言うまでもない。
【図面の簡単な説明】
【００８８】
【図１】実施の形態に係る画像記録システムの全体構成を示す構成図である。
【図２】実施の形態に係るデジタルカメラの外観を示す外観図である。
【図３】実施の形態に係るデジタルカメラの電気系の要部構成を示すブロック図である。
【図４】実施の形態に係る画像ファイルの構成を示す模式図である。
【図５】実施の形態に係る識別情報登録処理プログラムの処理の流れを示すフローチャートである。
【図６】実施の形態に係る識別情報登録画面の表示状態例を示す概略図である。
【図７】実施の形態に係る画像記録処理プログラムの処理の流れを示すフローチャートである。
【図８】実施の形態に係るデジタルカメラで作成されるフォルダ構造及び画像ファイルの記憶状態を示す模式図である。
【符号の説明】
【００８９】
１０    デジタルカメラ
２４    ＣＣＤ（撮影手段）
４０    ＣＰＵ（判定手段、作成手段、画像記憶手段）
５２    メモリカード（記憶手段）
５６Ｄ    十字カーソルスイッチ（入力手段）
６０    通信部（受信手段、送信手段）
９０    画像記録システム
【図１】
2008236057.tif 000003
【図２】
2008236057.tif 000004
【図３】
2008236057.tif 000005
【図４】
2008236057.tif 000006
【図５】
2008236057.tif 000007
【図６】
2008236057.tif 000008
【図７】
2008236057.tif 000009
【図８】
2008236057.tif 000010